(57)【要約】【課題】通信ネットワーク上の電話端末の入れ替えを行うことなく、システムコストを抑えた上で、メディア信号をマルチキャストにより通信ネットワーク上に配信することを可能とする。【解決手段】マルチキャスト対応のＩＰ電話端末Ｔ１２において、マルチキャストパケットをユニキャストパケットに変換し、マルチキャスト非対応のＩＰ電話端末Ｔ１４に転送する機能を持たせるようにし、ＩＰ電話装置ＢＴにおいて、ＩＰ電話端末Ｔ１１〜Ｔ１ｉの端末番号と、ＩＰアドレスと、ＩＰ電話端末Ｔ１１〜Ｔ１ｉが有するメディア処理能力情報とを対応付けた処理能力テーブルを記憶部に記憶しておき、マルチキャストパケット配信の実行時に、処理能力テーブルを参照して、マルチキャスト対応のＩＰ電話端末Ｔ１２に対し、ＩＰ電話端末Ｔ１４へマルチキャストパケットをユニキャストパケットに変換して転送するように指示している。【選択図】      図６
2011139151.tif 000002
【特許請求の範囲】
【請求項１】
通信ネットワークに接続される複数の電話端末と、これら複数の電話端末を前記通信ネットワークを介して収容し、映像、音声及びデータの少なくとも１つを含むメディア信号を前記通信ネットワーク上の複数の電話端末に対し一斉に配信するマルチキャストパケット配信を実行する電話交換装置とを具備し、
前記複数の電話端末のうち、マルチキャスト対応の第１の電話端末は、前記マルチキャスト非対応の第２の電話端末に対し、受信したマルチキャストパケットを前記第２の電話端末で受信可能なユニキャストパケットに変換して送信するパケット転送手段を備えることを特徴とする電話交換システム。
【請求項２】
複数の電話端末を通信ネットワークを介して収容し、映像、音声及びデータの少なくとも１つを含むメディア信号を前記通信ネットワーク上の複数の電話端末に対し一斉に配信するマルチキャストパケット配信を実行する電話交換装置において、
前記電話端末を特定する端末ＩＤと、前記電話端末が有するメディア処理能力とを対応付けた管理テーブルを記憶する記憶手段と、
前記マルチキャストパケット配信の実行時に、前記管理テーブルを参照し、この参照結果に基づいて、マルチキャスト対応の第１の電話端末に対し、マルチキャスト非対応の第２の電話端末へマルチキャストパケットをユニキャストパケットに変換して転送するべく指示情報を送出する制御手段とを備えたことを特徴とする電話交換装置。
【請求項３】
前記複数の電話端末に対し前記端末ＩＤ及び前記メディア処理能力を問い合わせる問い合わせ手段と、
前記問い合わせに対し返送されてくる前記端末ＩＤ及び前記メディア処理能力を示す情報を前記管理テーブルに登録する登録制御手段とをさらに備えたことを特徴とする請求項２記載の電話交換装置。
【請求項４】
前記問い合わせ手段は、前記電話端末の起動時に、当該電話端末に対し前記メディア処理能力の問い合わせメッセージを送信することを特徴とする請求項３記載の電話交換装置。
【請求項５】
前記記憶手段は、前記複数の電話端末を分割した複数のグループと、前記電話端末を特定する端末ＩＤと、前記電話端末が有するメディア処理能力とを対応付けたグループ管理テーブルを記憶し、
前記制御手段は、前記マルチキャストパケット配信の実行時に、前記グループ管理テーブルを参照し、この参照結果に基づいて、前記グループごとにマルチキャスト対応の第１の電話端末に対し、マルチキャスト非対応の第２の電話端末へマルチキャストパケットをユニキャストパケットに変換して転送するべく指示情報を送出することを特徴とする請求項２記載の電話交換装置。
【請求項６】
電話交換装置に対し通信ネットワークを介して収容され、前記通信ネットワーク上の複数の電話端末に対し一斉に配信するマルチキャストパケット配信で送られてくる映像、音声及びデータの少なくとも１つを含むメディア信号を受信可能な電話端末において、
前記電話端末を特定する端末ＩＤと、前記電話端末が有するメディア処理能力とを対応付けた管理テーブルを記憶する記憶手段と、
前記電話交換装置から前記マルチキャストパケット配信によるメディア信号を受信したとき、前記管理テーブルを参照し、この参照結果に基づいて、前記マルチキャスト配信によるメディア信号を受信不可能な電話端末に対し、受信したマルチキャストパケットをユニキャストパケットに変換して送信するパケット転送手段とを具備したことを特徴とする電話端末。
【請求項７】
前記複数の電話端末に対し前記端末ＩＤ及び前記メディア処理能力を問い合わせる問い合わせ手段と、
前記問い合わせに対し返送されてくる前記端末ＩＤ及び前記メディア処理能力を示す情報を前記管理テーブルに登録する登録制御手段とをさらに備えたことを特徴とする請求項６記載の電話端末。
【請求項８】
前記問い合わせ手段は、前記電話端末の起動時に、当該電話端末に対し前記メディア処理能力の問い合わせメッセージを送信することを特徴とする請求項７記載の電話交換装置。
【請求項９】
前記記憶手段は、前記複数の電話端末を分割した複数のグループと、前記電話端末を特定する端末ＩＤと、前記電話端末が有するメディア処理能力とを対応付けたグループ管理テーブルを記憶し、
前記パケット転送手段は、前記マルチキャストパケット配信の実行時に、前記グループ管理テーブルを参照し、この参照結果に基づいて、自端末が属するグループ内の前記マルチキャスト配信によるメディア信号を受信不可能な電話端末に対し、受信したマルチキャストパケットをユニキャストパケットに変換して送信することを特徴とする請求項６記載の電話端末。
【発明の詳細な説明】
【技術分野】
【０００１】
この発明は、例えばＩＰ(Internet Protocol)網に接続される複数の電話端末に対し映像、音声及びデータの少なくとも１つを含むメディア信号をマルチキャストで配信する電話交換システム及びこのシステムで使用される電話交換装置及び電話端末に関する。
【背景技術】
【０００２】
近年、ＬＡＮ(Local Area Network)やインターネット等のＩＰ網を介して、双方向に画像や音声をパケットデータとして、リアルタイムに送受信するＩＰ電話システムが普及している。
【０００３】
このＩＰ電話システムでは、保留音やＢＧＭ(Back Ground Music)、着信音等のメディア信号をマルチキャストにより配信するシステムがある。マルチキャスト配信を行うシステムは、端末毎にユニキャスト配信を行うシステムに比べて電話交換装置が配信するストリームを少なくできるため、効率的に同じメディア信号を複数の端末へ配信できる。
【０００４】
ところで、上記ＩＰ電話システムでは、電話交換装置に収容されるＩＰ電話端末の中に、マルチキャストパケットが受けられないＩＰ電話端末も存在する。
【０００５】
上記対策として、ＶＯＩＰ(Voice Over Internet Protocol)サーバにて複数の端末がマルチキャスト対応か否かを判断して、対応する端末にマルチキャストで送信し、非対応の端末にユニキャストで送信するＶＯＩＰシステムが提案されている（例えば、特許文献１）。
【先行技術文献】
【特許文献】
【０００６】
【特許文献１】特開２００５−６００４号公報
【発明の概要】
【発明が解決しようとする課題】
【０００７】
ところで、上記システムでは、ＶＯＩＰサーバからマルチキャスト非対応の端末にユニキャストで送信するものである。この場合、マルチキャスト非対応のＩＰ電話端末が多数存在した場合、ＩＰ網の通信トラフィックが増大してしまうことになる。
【０００８】
そこで、この発明の目的は、通信ネットワーク上の電話端末の入れ替えを行うことなく、システムコストを抑えた上で、メディア信号をマルチキャストにより通信ネットワーク上に配信することが可能な電話交換システム、電話交換装置及び電話端末を提供することにある。
【課題を解決するための手段】
【０００９】
上記目的を達成するために、この発明に係る電話交換装置は、複数の電話端末を通信ネットワークを介して収容し、映像、音声及びデータの少なくとも１つを含むメディア信号を通信ネットワーク上の複数の電話端末に対し一斉に配信するマルチキャストパケット配信を実行する電話交換装置において、電話端末を特定する端末ＩＤと、電話端末が有するメディア処理能力とを対応付けた管理テーブルを記憶する記憶手段と、マルチキャストパケット配信の実行時に、管理テーブルを参照し、この参照結果に基づいて、マルチキャスト対応の第１の電話端末に対し、マルチキャスト非対応の第２の電話端末へマルチキャストパケットをユニキャストパケットに変換して転送するべく指示情報を送出する制御手段とを備えるようにしたものである。
【００１０】
この構成によれば、第１の電話端末にマルチキャストパケットをユニキャストパケットに変換し、マルチキャスト非対応の第２の電話端末に転送する機能を持たせるようにし、電話交換装置において、端末ＩＤと、電話端末が有するメディア処理能力とを対応付けた管理テーブルをメモリに記憶しておき、マルチキャストパケット配信の実行時に、管理テーブルを参照して、第１の電話端末に対し、第２の電話端末へマルチキャストパケットをユニキャストパケットに変換して転送するように指示している。
【００１１】
従って、電話交換装置がユニキャストパケットを送出しなくて済むため、電話交換装置から送出されるパケット数を減らすことができる。また、通信ネットワーク上のマルチキャスト非対応の電話端末をマルチキャスト対応の電話端末に変更する必要がなく、これによりシステムコストを抑えることができる。
【００１２】
また、この発明に係る電話交換装置は、複数の電話端末に対し端末ＩＤ及びメディア処理能力を問い合わせる問い合わせ手段と、問い合わせに対し返送されてくる端末ＩＤ及びメディア処理能力を示す情報を管理テーブルに登録する登録制御手段とをさらに備えるようにしたものである。なお、問い合わせ手段は、電話端末の起動時に、当該電話端末に対しメディア処理能力の問い合わせメッセージを送信する。
【００１３】
この構成によれば、起動された各電話端末に対しメディア処理能力を問い合わせて返送されたメディア処理能力を管理テーブルに登録することができる。
【００１４】
また、この発明に係る電話交換装置は、記憶手段は、複数の電話端末を分割した複数のグループと、電話端末を特定する端末ＩＤと、電話端末が有するメディア処理能力とを対応付けたグループ管理テーブルを記憶し、制御手段は、マルチキャストパケット配信の実行時に、グループ管理テーブルを参照し、この参照結果に基づいて、グループごとに第１の電話端末に対し、第２の電話端末へマルチキャストパケットをユニキャストパケットに変換して転送するべく指示情報を送出するようにしている。
【００１５】
この構成によれば、電話交換装置において、複数の電話端末をグループ化してこのグループとグループに属する端末ＩＤとメディア処理能力とを対応付けたグループ管理テーブルをメモリに記憶しておくことにより、マルチキャストパケット配信の実行時に、グループ管理テーブルを参照することで、グループ単位でマルチキャスト対応の電話端末に対し、マルチキャストパケットをユニキャストパケットに変換してマルチキャスト非対応の電話端末に転送するように指示することができる。
【００１６】
従って、電話端末の台数が増えることによりシステムの規模が大きくなっても、グループ分けすることで、グループ間でユニキャストパケットの転送を並行して実行できる。
【００１７】
さらに、この発明に係る電話端末は、電話交換装置に対し通信ネットワークを介して収容され、通信ネットワーク上の複数の電話端末に対し一斉に配信するマルチキャストパケット配信で送られてくる映像、音声及びデータの少なくとも１つを含むメディア信号を受信可能な電話端末において、電話端末を特定する端末ＩＤと、電話端末が有するメディア処理能力とを対応付けた管理テーブルを記憶する記憶手段と、電話交換装置からマルチキャスト配信によるメディア信号を受信したとき、管理テーブルを参照し、この参照結果に基づいて、マルチキャスト配信によるメディア信号を受信不可能な電話端末に対し、受信したマルチキャストパケットをユニキャストパケットに変換して送信するパケット転送手段とを備えるようにしたものである。
【００１８】
この構成によれば、電話端末において、端末ＩＤと、電話端末が有するメディア処理能力とを対応付けた管理テーブルをメモリに記憶しておき、マルチキャストパケット配信の実行時に、管理テーブルを参照して、電話交換装置からの指示を必要とすることなく、自主的にマルチキャスト非対応の電話端末へマルチキャストパケットをユニキャストパケットに変換して転送するようにしている。
【００１９】
従って、電話交換装置はマルチキャストパケットを配信するだけでよく、これにより電話交換装置の処理負担を軽減できる。
【００２０】
また、この発明に係る電話端末において、記憶手段は、複数の電話端末を分割した複数のグループと、電話端末を特定する端末ＩＤと、電話端末が有するメディア処理能力とを対応付けたグループ管理テーブルを記憶し、パケット転送手段は、マルチキャストパケット配信の実行時に、グループ管理テーブルを参照し、この参照結果に基づいて、自端末が属するグループ内のマルチキャスト配信によるメディア信号を受信不可能な電話端末に対し、受信したマルチキャストパケットをユニキャストパケットに変換して送信するようにしている。
【００２１】
この構成によれば、グループ内でマルチキャストパケットをユニキャストパケットに変換してマルチキャスト非対応の電話端末に転送するだけでよく、これによりシステム規模の拡大に伴う通信ネットワークのトラフィックの増大をさらに抑えることができる。
【発明の効果】
【００２２】
上記発明によれば、通信ネットワーク上の電話端末の入れ替えを行うことなく、システムコストを抑えた上で、メディア信号をマルチキャストにより通信ネットワーク上に配信することが可能な電話交換システム、電話交換装置及び電話端末を提供することができる。
【図面の簡単な説明】
【００２３】
【図１】この発明に係わるＩＰ電話システムの第１の実施形態を示す概略構成図。
【図２】上記図１に示した処理能力テーブルの記憶内容の一例を示す図。
【図３】上記図１に示した指示送出先テーブルの記憶内容の一例を示す図。
【図４】上記図１に示したＩＰ電話端末の構成を示すブロック図。
【図５】同第１の実施形態のＩＰ交換装置におけるＩＰ電話端末のＩＰアドレス及び処理能力情報の取得手順を示すフローチャート。
【図６】同第１の実施形態における発信番号通知を伴う着信に応じた着信動作を示すシーケンス。
【図７】上記図６の動作に伴うＩＰ電話装置の呼制御部の制御処理手順を示すフローチャート。
【図８】上記図６の動作に伴うＩＰ電話端末の制御処理手順を示すフローチャート。
【図９】この第２の実施形態に係るＩＰ電話システムの概略構成図。
【図１０】上記図９に示したマルチキャスト対応のＩＰ電話端末の機能構成を示すブロック図。
【図１１】上記図１０に示したグループ管理テーブルの記憶内容の一例を示す図。
【図１２】同第２の実施形態において、各サブネット内でユニキャストパケットの転送を実行するＩＰ電話端末の制御処理手順を示すフローチャート。
【発明を実施するための形態】
【００２４】
以下、この発明の実施形態について図面を参照して詳細に説明する。  
（第１の実施形態）  
図１は、この発明に係わるＩＰ電話システムの第１の実施形態を示す概略構成図である。  
このシステムは、パケット通信用のＬＡＮ（Local Area Network）１を有する。ＬＡＮ１には、ＩＰ電話端末Ｔ１１〜Ｔ１ｉ（ｉは自然数）が接続される。なお、ＩＰ電話端末Ｔ１１〜Ｔ１ｉは、通話処理機能と映像等のメディア情報処理機能とを備えている。
【００２５】
また、ＬＡＮ１には、ゲートウェイＧＷ１，ＧＷ２が接続されている。ゲートウェイＧＷ１は、ＬＡＮ１とインターネット等のＩＰ公衆網ＩＰＮとの間を接続するもので、ＬＡＮ１とＩＰ公衆網ＩＰＮとの間における通信プロトコル及び信号フォーマットの変換機能とを備えている。ゲートウェイＧＷ２は、ＬＡＮ１と外部電話端末ＴＴ２との間を接続するもので、ＬＡＮ１と外部電話端末ＴＴ２との間における通信プロトコル及び信号フォーマットの変換機能とを備えている。
【００２６】
また、これらＩＰ電話端末Ｔ１１〜Ｔ１ｉ及びゲートウェイＧＷ１，ＧＷ２は、ＬＡＮ１を介して電話交換装置としてのＩＰ電話装置ＢＴに接続されている。
【００２７】
ＩＰ電話装置ＢＴは、ＬＡＮインタフェース部１１と、メディア変換部１２と、呼制御部１３と、記憶部１４とを備えている。これらＬＡＮインタフェース部１１と、メディア変換部１２と、呼制御部１３と、記憶部１４は、データハイウェイ１５を介して互いに接続されている。また、データハイウェイ１５には、公衆網インタフェース部１７及び音源１８が接続される。
【００２８】
ＬＡＮインタフェース部１１には、ＬＡＮ１が必要に応じて接続される。ＬＡＮインタフェース部１１は、接続されたＬＡＮ１との間でインタフェース処理を行う。また、ＬＡＮインタフェース部１１は、上記インタフェース処理に係わる種々の制御情報の授受を、データハイウェイ１５を介して呼制御部１３との間で行う。
【００２９】
メディア変換部１２には、タイムスイッチ１６が接続される。メディア変換部１２は、ＬＡＮインタフェース部１１で受信した制御パケット及び音声パケットを処理するもので、パケットをＰＣＭ信号に変換してタイムスイッチ１６に出力し、タイムスイッチ１６からのＰＣＭ信号をパケットに変換してＬＡＮインタフェース部１１に出力する。
【００３０】
公衆網インタフェース部１７には、公衆網ＰＮＷが必要に応じて接続される。公衆網インタフェース部１７は、接続された公衆網ＰＮＷとの間でインタフェース処理を行う。また、公衆網インタフェース部１７は、上記インタフェース処理に係わる種々の制御情報の授受を、データハイウェイ１５を介して呼制御部１３との間で行う。
【００３１】
呼制御部１３は、ＣＰＵ、ＲＯＭ、ＲＡＭなどを有して構成され、ソフトウェア処理によりＩＰ電話装置ＢＴの各部の制御を行う。
【００３２】
記憶部１４は、呼制御部１３の接続制御に必要なルーティング情報等を格納している。
【００３３】
ところで、記憶部１４には、処理能力テーブル１４１と、指示送出先テーブル１４２とが設けられている。処理能力テーブル１４１には、図２に示すように、ＩＰ電話端末Ｔ１１〜Ｔ１ｉ及びゲートウェイＧＷ１，ＧＷ２に予め割り当ててある端末ＩＤとしての端末番号と、ＩＰアドレスと、マルチキャスト対応、マルチキャスト非対応を示す情報との対応関係を表すテーブルが記憶されている。
【００３４】
指示送出先テーブル１４２には、図３に示すように、第１の電話端末としてパケット変換及びユニパケット転送を依頼するＩＰ電話端末Ｔ１２の端末番号と、ＩＰアドレスとの対応関係を表すテーブルが記憶されている。
【００３５】
一方、呼制御部１３は、この発明に係る機能として、能力問い合わせ部１３１と、登録制御部１３２と、能力判定部１３３と、転送指示制御部１３４とを備えている。能力問い合わせ部１３１は、起動中のＩＰ端末Ｔ１１〜Ｔ１ｉに対しマルチキャスト対応またはマルチキャスト非対応の問い合わせ情報を各ＩＰ端末Ｔ１１〜Ｔ１ｉ、ゲートウェイＧＷ１，ＧＷ２への例えばＳＩＰのＯＰＴＩＯＮメッセージに挿入して送信する。なお、ゲートウェイＧＷ１，ＧＷ２については、予め処理能力テーブル１４１に能力情報を登録しているものとする。
【００３６】
登録制御部１３２は、問い合わせに対し返送されてくるＡＣＫの中のＳＤＰに含まれる能力情報を取得し、この能力情報を返送元の端末の端末番号に対応付けて処理能力テーブル１４１に登録する。
【００３７】
能力判定部１３３は、マルチキャストパケットの配信時に、処理能力テーブル１４１を参照し、マルチキャスト非対応の端末があるか否かを判定する。
【００３８】
転送指示制御部１３４は、上記能力判定部１３３による判定結果に基づいて、マルチキャスト非対応のＩＰ電話端末Ｔ１４が存在する場合に、指示送出先テーブル１４２に登録されているＩＰ電話端末Ｔ１２に対し、マルチキャスト非対応のＩＰ電話端末Ｔ１４へマルチキャストパケットをユニキャストパケットに変換して転送させる指示情報を送出する。
【００３９】
図４は、上記ＩＰ電話端末Ｔ１２の構成を示すブロック図である。
【００４０】
図４において、ＩＰ電話端末Ｔ１２は、ＬＡＮインタフェース部２１、通話処理部２２、ハンドセット２３、制御部２４及び操作パネル部２５を有している。また、制御部２４には、パケット変換用バッファ２６が接続される。
【００４１】
ＬＡＮインタフェース部２１は、外部の機器との間で伝送により種々のデータの授受を行なう。また、ＬＡＮインタフェース部２１は、外部の機器から送られてきた伝送信号中から通話信号や制御信号を抽出し、通話信号を通話処理部２２へ、制御信号を制御部２４へとそれぞれ与える。さらにＬＡＮインタフェース部２１は、通話処理部２２や制御部２４から与えられるシリアルデータ信号を時分割多重して伝送信号を生成し、送信する。
【００４２】
通話処理部２２は、ＬＡＮインタフェース部２１から与えられる通話信号に含まれる通話データを取り出して、この通話データからアナログの受話音声信号を再生する。そして、通話処理部２２は、この再生した受話音声信号によりハンドセット２３の受話器を駆動し、受話音声の出力を行なわせる。また、通話処理部２２には、ハンドセット２３の送話器で生成されたアナログの送話音声信号が入力される。通話処理部２２は、この送話音声信号を所定形態の通話信号に変換して、ＬＡＮインタフェース部２１へと与える。
【００４３】
制御部２４は、ＣＰＵ、ＲＯＭ、ＲＡＭなどを有して構成され、ソフトウェア処理によりＩＰ電話端末Ｔ１２の各部の制御や外部機器との間でのデータ通信処理を行なう。
【００４４】
操作パネル部２５は、ＬＣＤ（Liquid Crystal Display）等の表示部２５１と、キー入力部２５２とを備えている。表示部２５１には、制御部２４から出力された自装置の動作状態を表す種々情報、マルチキャスト配信されるメディア信号、例えば電話帳なども表示される。
【００４５】
ところで、上記制御部２４には、パケット変換転送部２４１が備えられる。パケット変換転送部２４１は、マルチキャストパケットを受信している時に、ＩＰ電話装置ＢＴから転送指示情報を受信した場合に、マルチキャストパケットをパケット変換用バッファ２６に保存し、マルチキャストパケットをユニキャストパケットに変換して、指示情報に含まれる宛先のＩＰ電話端末Ｔ１４へ送出する。
【００４６】
次に、上記構成による動作について説明する。  
図５は、ＩＰ交換装置ＢＴにおけるＩＰ端末Ｔ１１〜Ｔ１ｉのＩＰアドレス及び処理能力情報の取得手順を示すフローチャートである。ここで、ＳＩＰの場合、起動時に各ＩＰ端末Ｔ１１〜Ｔ１ｉからＩＰ交換装置ＢＴに対し一定周期でＲＥＧＩＳＴＥＲメッセージが送信され、ＲＥＧＩＳＴＥＲメッセージを受信したＩＰ交換装置ＢＴは、ＩＰアドレスを記憶部１４の処理能力テーブル１４１に登録する。なお、例えばＩＰ端末Ｔ１４が一定周期でＲＥＧＩＳＴＥＲメッセージを送信しない場合には、ＩＰ交換装置ＢＴはＩＰ端末Ｔ１４が存在しないものと認識し、これによりＩＰ端末Ｔ１４は通信できないものとなる。
【００４７】
例えばＩＰ端末Ｔ１１からＲＥＧＩＳＴＥＲメッセージを受信したとする（ステップＳＴ５ａ）。そうするとＩＰ交換装置ＢＴは、処理能力テーブル１４１へのＲＥＧＩＳＴＥＲ処理を行い、ＲＥＧＩＳＴＥＲがＯＫであれば、ＩＰ端末Ｔ１１にＡＣＫを返送する（ステップＳＴ５ｂ）。
【００４８】
さらに、ＩＰ交換装置ＢＴは、ＩＰ端末Ｔ１１の能力を問い合わせるためにＯＰＴＩＯＮＳをＲＥＧＩＳＴＥＲしたＩＰ端末Ｔ１１に送信する（ステップＳＴ５ｃ）。そうするとＩＰ交換装置ＢＴは、ＯＰＴＩＯＮＳに対する応答を受信し（ステップＳＴ５ｄ）、そのなかのＳＤＰのマルチキャスト対応／非対応を示す能力情報を取り出し、処理能力テーブル１４１に登録する（ステップＳＴ５ｅ）。
【００４９】
図６は、発信番号通知を伴う着信に応じた着信動作を示すシーケンスである。
【００５０】
いま、例えば外部電話端末ＴＴ３の発信に応じて、公衆網ＰＮＷから発信電話番号を含む着信信号が公衆網インタフェース部１７に到来したとする。この場合、ＩＰ電話装置ＢＴの呼制御部１３は、図７に示す制御処理手順を実行する。
【００５１】
ＩＰ電話装置ＢＴの呼制御部１３は、公衆網インタフェース部１７より通知された着信データから発信電話番号を抽出し、この発信電話番号に対応する着信先を記憶部１４内の着信先データをもとに判定する（ステップＳＴ７ａ）。そして、ＬＡＮインタフェース部１１へ音源１８から発生される着信音を転送し、着信先の内線グループとなるＩＰ電話端末Ｔ１１〜Ｔ１５に対し着信データをマルチキャストパケットにより送信して着信報知を行わせる（ステップＳＴ７ｂ）。
【００５２】
続いて、ＩＰ電話装置ＢＴの呼制御部１３は、処理能力テーブル１４１を参照して、着信先にマルチキャスト非対応のＩＰ電話端末があるか否かの判定を行なう（ステップＳＴ７ｃ）。ここでは、マルチキャスト非対応のＩＰ電話端末Ｔ１４が着信先の内線グループに入っているので、ＩＰ電話装置ＢＴの呼制御部１３は、指示送出先テーブル１４２を参照し（ステップＳＴ７ｄ）、着信先の内線グループにＩＰ電話端末Ｔ１２が入っているか否かの判定を行なう（ステップＳＴ７ｅ）。
【００５３】
ここでは、入っているので、ＩＰ電話装置ＢＴの呼制御部１３はＩＰ電話端末Ｔ１２に対しＩＰ電話端末Ｔ１４ｊへの転送指示情報を送出する（ステップＳＴ７ｇ及びステップＳＴ７ｈ）。
【００５４】
これに対し、ＩＰ電話端末Ｔ１２は、図８に示す制御処理手順を実行する。
【００５５】
ＩＰ電話端末Ｔ１２は、ＩＰ電話装置ＢＴからマルチキャストパケットを受信し（ステップＳＴ８ａ）、受信したマルチキャストパケットをパケット変換用バッファ２６に保存し（ステップＳＴ８ｂ）、マルチキャストパケットをユニキャストパケットに変換して（ステップＳＴ８ｃ）、パケット変換用バッファ２６に保存する（ステップＳＴ８ｄ）。
【００５６】
続いて、ＩＰ電話端末Ｔ１２は、転送指示情報に含まれる宛先のＩＰ電話端末Ｔ１４を認識し、パケット変換用バッファ２６からユニキャストパケットを読み出して（ステップＳＴ８ｅ）、ＩＰ電話端末Ｔ１４へ送出する（ステップＳＴ８ｆ）。
【００５７】
従って、ＩＰ電話端末Ｔ１４に公衆網ＰＮＷからの着信報知が行われることになる。なお、上記ステップＳＴ７ｅにおいて、マルチキャスト非対応のＩＰ電話端末Ｔ１４が着信先でない場合や、指示送出先テーブル１４２にマルチキャスト対応のＩＰ電話端末Ｔ１２が登録されていない場合には、ＩＰ電話装置ＢＴは処理をそのまま終了し、着信音をマルチキャストパケットで配信をし続けることになる。
【００５８】
以上のように上記第１の実施形態では、マルチキャスト対応のＩＰ電話端末Ｔ１２において、マルチキャストパケットをユニキャストパケットに変換し、マルチキャスト非対応のＩＰ電話端末Ｔ１４に転送する機能を持たせるようにし、ＩＰ電話装置ＢＴにおいて、ＩＰ電話端末Ｔ１１〜Ｔ１ｉの端末番号と、ＩＰアドレスと、ＩＰ電話端末Ｔ１１〜Ｔ１ｉが有するメディア処理能力情報とを対応付けた処理能力テーブル１４１を記憶部１４に記憶しておき、マルチキャストパケット配信の実行時に、処理能力テーブル１４１を参照して、指示送出先テーブル１４２に登録されているＩＰ電話端末Ｔ１２に対し、ＩＰ電話端末Ｔ１４へマルチキャストパケットをユニキャストパケットに変換して転送するように指示している。
【００５９】
従って、ＩＰ電話装置ＢＴがユニキャストパケットを送出しなくて済むため、ＩＰ電話装置ＢＴから送出されるパケット数を減らすことができる。また、ＬＡＮ１上のマルチキャスト非対応のＩＰ電話端末Ｔ１４をマルチキャスト対応の電話端末に変更する必要がなく、これによりシステムコストを抑えることができる。
【００６０】
また、上記第１の実施形態では、ＩＰ電話装置ＢＴの呼制御部１３に、ＩＰ電話端末Ｔ１１〜Ｔ１ｉに対しＩＰアドレス及びメディア処理能力を問い合わせる能力問い合わせ部１３１と、問い合わせに対し返送されてくるＩＰアドレス及びメディア処理能力を示す情報を処理能力テーブル１４１に登録する登録制御部１３２とを備えるようにしているので、起動された各ＩＰ電話端末Ｔ１１〜Ｔ１ｉに対しメディア処理能力を問い合わせて返送されたメディア処理能力を処理能力テーブル１４１に登録することができる。
【００６１】
（第２の実施形態）  
この発明の第２の実施形態は、マルチキャスト対応のＩＰ電話端末により、ＩＰ電話装置の指示無しに、マルチキャスト非対応のＩＰ電話端末へユニキャストを転送するようにしたものである。また、複数のＩＰ電話端末をサブネットに分割したものである。
【００６２】
図９は、この第２の実施形態に係るＩＰ電話システムの概略構成図である。
【００６３】
このＩＰ電話システムは、ＬＡＮ１にマルチキャスト対応のＩＰ電話端末Ｔ１２−１〜Ｔ１２−ｎが接続され、さらにマルチキャスト非対応のＩＰ電話端末Ｔ１４−１〜Ｔ１４−ｏが接続される。
【００６４】
これらマルチキャスト対応のＩＰ電話端末Ｔ１２−１〜Ｔ１２−ｎ及びマルチキャスト非対応のＩＰ電話端末Ｔ１４−１〜Ｔ１４−ｏは、サブネットＴＧ１〜ＴＧｎに分割される。
【００６５】
図１０は、マルチキャスト対応のＩＰ電話端末Ｔ１２−１〜Ｔ１２−ｎの機能構成を示すブロック図である。図１０において、上記図４と同一部分には同一符号を付して詳細な説明を省略する。ここでは、ＩＰ電話端末Ｔ１２−１を代表して説明する。
【００６６】
ＩＰ電話端末Ｔ１２−１は、記憶部２７を備えている。記憶部２７には、グループ管理テーブル２７１が記憶されている。グループ管理テーブル２７１には、図１１に示すように、サブネットＴＧ１〜ＴＧｎと、これらのサブネット名ＴＧ１〜ＴＧｎに属する複数のマルチキャスト対応のＩＰ電話端末Ｔ１２−１〜Ｔ１２−ｎ及びマルチキャスト非対応のＩＰ電話端末Ｔ１４−１〜Ｔ１４−ｏのＩＰアドレス及び能力情報との対応関係を記憶したものである。
【００６７】
一方、制御部２４は、この発明に係る機能として、能力問い合わせ部２４２と、登録制御部２４３と、能力判定部２４４と、転送制御部２４５とを備えている。能力問い合わせ部２４２は、起動中のＩＰ電話端末Ｔ１２−１〜Ｔ１２−ｎ，Ｔ１４−１〜Ｔ１４−ｏに対しマルチキャスト対応またはマルチキャスト非対応の問い合わせ情報を例えばＳＩＰのＯＰＴＩＯＮメッセージに挿入して送信する。
【００６８】
登録制御部２４３は、問い合わせに対し返送されてくるＡＣＫの中のＳＤＰに含まれる能力情報を取得し、この能力情報を返送元の端末の端末番号に対応付けてグループ管理テーブル２７１に登録する。
【００６９】
能力判定部２４４は、ＩＰ電話装置ＢＴからのマルチキャストパケットの受信時に、グループ管理テーブル２７１を参照し、マルチキャスト非対応の端末があるか否かを判定する。
【００７０】
転送制御部２４５は、上記能力判定部２４４による判定結果に基づいて、自端末が属するサブネットＴＧ１内にマルチキャスト非対応のＩＰ電話端末Ｔ１４−１，Ｔ１４−２が存在する場合に、マルチキャスト非対応のＩＰ電話端末Ｔ１４−１、Ｔ１４−２へマルチキャストパケットをユニキャストパケットに変換して送出する。
【００７１】
次に、上記構成による動作について説明する。  
図１２は、各サブネットＴＧ１〜ＴＧｎ内でユニキャストパケットの転送を実行するＩＰ電話端末Ｔ１２−１の制御処理手順を示すフローチャートである。
【００７２】
ＩＰ電話端末Ｔ１２−１は、各ＩＰ電話端末Ｔ１２−２〜Ｔ１２−ｎ，Ｔ１４−１〜Ｔ１４−ｏに対しマルチキャスト対応またはマルチキャスト非対応の問い合わせを行い、マルチキャスト対応の台数及びマルチキャスト非対応の台数を把握し（ステップＳＴ１２ａ）、各マルチキャスト対応のＩＰ電話端末Ｔ１２−１〜Ｔ１２−ｎが担当するマルチキャスト非対応のＩＰ電話端末Ｔ１４−１〜Ｔ１４−ｏを割り振り、グループ管理テーブル２７１を作成する（ステップＳＴ１２ｂ）。
【００７３】
そして、ＩＰ電話端末Ｔ１２−１は、ＩＰ電話装置ＢＴからマルチキャストパケットを受信すると（ステップＳＴ１２ｃ）、受信したマルチキャストパケットをパケット変換用バッファ２６に保存し（ステップＳＴ１２ｄ）、マルチキャストパケットをユニキャストパケットに変換して（ステップＳＴ１２ｅ）、パケット変換用バッファ２６に保存する（ステップＳＴ１２ｆ）。
【００７４】
続いて、ＩＰ電話端末Ｔ１２−１は、グループ管理テーブル２７１を参照して自端末が属するサブネットＴＧ１を認識し、パケット変換用バッファ２６からユニキャストパケットを読み出して（ステップＳＴ１２ｇ）、サブネットＴＧ１内のＩＰ電話端末Ｔ１４−１，Ｔ１４−２へ送出する（ステップＳＴ１２ｈ）。
【００７５】
以上のように上記第２の実施形態では、マルチキャスト対応のＩＰ電話端末１２−１において、サブネットＴＧ１〜ＴＧｎと、各ＩＰ電話端末のＩＰアドレス及び処理能力とを対応付けたグループ管理テーブル２７１を記憶部２７に記憶しておき、ＩＰ電話装置ＢＴからマルチキャストパケットを受信した時に、グループ管理テーブル２７１を参照して、ＩＰ電話装置ＢＴからの指示を必要とすることなく、自主的に自端末が属するサブネットＴＧ１内のマルチキャスト非対応のＩＰ電話端末Ｔ１４−１，Ｔ１４−２へマルチキャストパケットをユニキャストパケットに変換して転送するようにしている。
【００７６】
従って、ＩＰ電話装置ＢＴはＬＡＮ１上にマルチキャストパケットを配信するだけでよく、これによりＩＰ電話装置ＢＴの処理負担を軽減できる。
【００７７】
また、上記第２の実施形態によれば、サブネットＴＧ１内でマルチキャストパケットをユニキャストパケットに変換してマルチキャスト非対応のＩＰ電話端末Ｔ１４−１，Ｔ１４−２に転送するだけでよく、これによりシステム規模の拡大に伴うＬＡＮ１のトラフィックの増大をさらに抑えることができる。
【００７８】
（その他の実施形態）  
この発明は、上記各実施形態に限定されるものではない。例えば上記第２の実施形態では、グループ管理テーブルをマルチキャスト対応のＩＰ電話端末の記憶部に設ける例について説明した。しかしこれに限ることなく、例えばＩＰ電話装置の記憶部に設けるようにしてもよい。このようにすれば、ＩＰ電話端末のメモリ容量の削減を図ることができ、低価格の端末を使用できる。
【００７９】
また、上記各実施形態では、各ＩＰ電話端末への処理能力の問い合わせにＳＩＰを適用する例について説明したが、例えばＭＥＧＡＣＯにも適用できる。
【００８０】
その他、ＩＰ電話システムの構成、ＩＰ電話装置の機能構成、ＩＰ電話端末の機能構成、マルチキャストまたはユニキャストの種類、各制御の制御手順とその内容等についてもこの発明の要旨を逸脱しない範囲で種々変形して実施可能である。
【符号の説明】
【００８１】
１…ＬＡＮ、１１…ＬＡＮインタフェース部、１２…メディア変換部、１３…呼制御部、１４…記憶部、１５…データハイウェイ、１６…タイムスイッチ、２１…ＬＡＮインタフェース部、２２…通話処理部、２３…ハンドセット、２４…制御部、２５…操作パネル部、２５１…表示部、２５２…キー入力部、１３１…能力問い合わせ部、１３２…登録制御部、１３３…能力判定部、１３４…転送指示制御部、１４１…処理能力テーブル、１４２…指示送出先テーブル、２７１…グループ管理テーブル、ＢＴ…ＩＰ電話装置、Ｔ１１〜Ｔ１ｉ…ＩＰ電話端末、ＧＷ１，ＧＷ２…ゲートウェイ、ＩＰＮ…ＩＰ公衆網、ＰＮＷ…公衆網。
【図１】
2011139151.tif 000003
【図２】
2011139151.tif 000004
【図３】
2011139151.tif 000005
【図４】
2011139151.tif 000006
【図５】
2011139151.tif 000007
【図６】
2011139151.tif 000008
【図７】
2011139151.tif 000009
【図８】
2011139151.tif 000010
【図９】
2011139151.tif 000011
【図１０】
2011139151.tif 000012
【図１１】
2011139151.tif 000013
【図１２】
2011139151.tif 000014
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
通信ネットワークに接続される複数の電話端末と、これら複数の電話端末を前記通信ネットワークを介して登録し、映像、音声及びデータの少なくとも１つを含むメディア信号を前記通信ネットワーク上の複数の電話端末に対し一斉に配信するマルチキャストパケット配信を実行する電話交換装置とを具備し、
前記複数の電話端末のうち、マルチキャスト対応の第１の電話端末は、前記マルチキャスト非対応の第２の電話端末に対し、受信したマルチキャストパケットを前記第２の電話端末で受信可能なユニキャストパケットに変換して送信するパケット転送手段を備える電話交換システム。
【請求項２】
前記電話交換装置は、
前記電話端末を特定する端末ＩＤと、前記電話端末が有するメディア処理能力とを対応付けた管理テーブルを記憶する記憶手段と、
前記マルチキャストパケット配信の実行時に、前記管理テーブルを参照し、この参照結果に基づいて、マルチキャスト対応の第１の電話端末に対し、マルチキャスト非対応の第２の電話端末へマルチキャストパケットをユニキャストパケットに変換して転送するべく指示情報を送出する制御手段とを備える請求項１記載の電話交換システム。
【請求項３】
前記電話交換装置は、
前記複数の電話端末に対し前記端末ＩＤ及び前記メディア処理能力を問い合わせる問い合わせ手段と、
前記問い合わせに対し返送されてくる前記端末ＩＤ及び前記メディア処理能力を示す情報を前記管理テーブルに登録する登録制御手段とをさらに備える請求項２記載の電話交換システム。
【請求項４】
前記問い合わせ手段は、前記電話端末の起動時に、当該電話端末に対し前記メディア処理能力の問い合わせメッセージを送信する請求項３記載の電話交換システム。
【請求項５】
前記記憶手段は、前記複数の電話端末を分割した複数のグループと、前記電話端末を特定する端末ＩＤと、前記電話端末が有するメディア処理能力とを対応付けたグループ管理テーブルを記憶し、
前記制御手段は、前記マルチキャストパケット配信の実行時に、前記グループ管理テーブルを参照し、この参照結果に基づいて、前記グループごとにマルチキャスト対応の第１の電話端末に対し、マルチキャスト非対応の第２の電話端末へマルチキャストパケットをユニキャストパケットに変換して転送するべく指示情報を送出する請求項２記載の電話交換システム。
【請求項６】
複数の電話端末を通信ネットワークを介して登録し、映像、音声及びデータの少なくとも１つを含むメディア信号を前記通信ネットワーク上の複数の電話端末に対し一斉に配信するマルチキャストパケット配信を実行する電話交換装置において、
前記電話端末を特定する端末ＩＤと、前記電話端末が有するメディア処理能力とを対応付けた管理テーブルを記憶する記憶手段と、
前記マルチキャストパケット配信の実行時に、前記管理テーブルを参照し、この参照結果に基づいて、マルチキャスト対応の第１の電話端末に対し、マルチキャスト非対応の第２の電話端末へマルチキャストパケットをユニキャストパケットに変換して転送するべく指示情報を送出する制御手段とを備える電話交換装置。
【請求項７】
前記複数の電話端末に対し前記端末ＩＤ及び前記メディア処理能力を問い合わせる問い合わせ手段と、
前記問い合わせに対し返送されてくる前記端末ＩＤ及び前記メディア処理能力を示す情報を前記管理テーブルに登録する登録制御手段とをさらに備える請求項６記載の電話交換装置。
【請求項８】
前記問い合わせ手段は、前記電話端末の起動時に、当該電話端末に対し前記メディア処理能力の問い合わせメッセージを送信する請求項７記載の電話交換装置。
【請求項９】
前記記憶手段は、前記複数の電話端末を分割した複数のグループと、前記電話端末を特定する端末ＩＤと、前記電話端末が有するメディア処理能力とを対応付けたグループ管理テーブルを記憶し、
前記制御手段は、前記マルチキャストパケット配信の実行時に、前記グループ管理テーブルを参照し、この参照結果に基づいて、前記グループごとにマルチキャスト対応の第１の電話端末に対し、マルチキャスト非対応の第２の電話端末へマルチキャストパケットをユニキャストパケットに変換して転送するべく指示情報を送出する請求項６記載の電話交換装置。
【請求項１０】
電話交換装置に対し通信ネットワークを介して登録され、前記通信ネットワーク上の複数の電話端末に対し一斉に配信するマルチキャストパケット配信で送られてくる映像、音声及びデータの少なくとも１つを含むメディア信号を受信する電話端末において、
前記電話端末を特定する端末ＩＤと、前記電話端末が有するメディア処理能力とを対応付けた管理テーブルを記憶する記憶手段と、
前記電話交換装置から前記マルチキャストパケット配信によるメディア信号を受信したとき、前記管理テーブルを参照し、この参照結果に基づいて、前記マルチキャスト配信によるメディア信号を受信不可能な電話端末に対し、受信したマルチキャストパケットをユニキャストパケットに変換して送信するパケット転送手段とを具備する電話端末。
【請求項１１】
前記複数の電話端末に対し前記端末ＩＤ及び前記メディア処理能力を問い合わせる問い合わせ手段と、
前記問い合わせに対し返送されてくる前記端末ＩＤ及び前記メディア処理能力を示す情報を前記管理テーブルに登録する登録制御手段とをさらに備える請求項１０記載の電話端末。
【請求項１２】
前記問い合わせ手段は、前記電話端末の起動時に、当該電話端末に対し前記メディア処理能力の問い合わせメッセージを送信する請求項１１記載の電話端末。
【請求項１３】
前記記憶手段は、前記複数の電話端末を分割した複数のグループと、前記電話端末を特定する端末ＩＤと、前記電話端末が有するメディア処理能力とを対応付けたグループ管理テーブルを記憶し、
前記パケット転送手段は、前記マルチキャストパケット配信の実行時に、前記グループ管理テーブルを参照し、この参照結果に基づいて、自端末が属するグループ内の前記マルチキャスト配信によるメディア信号を受信不可能な電話端末に対し、受信したマルチキャストパケットをユニキャストパケットに変換して送信する請求項１０記載の電話端末。